(57)【特許請求の範囲】
【請求項１】
紙葉類収納カセットに設けられた紙葉類収納カセット繰出負荷低減機構であって、
前記紙葉類収納カセットは、紙葉類を内部に収納し、下部側面に前記紙葉類を外部に繰出すための繰出口を有し、該繰出口の近傍に前記紙葉類を外部に繰出す繰出機構と、  該繰出機構と、該繰出機構が前記紙葉類の底面に接する前記紙葉類の端部とは反対側端部と、の間において、前記紙葉類の底面に接し、前記紙葉類の繰出し方向に沿って回転自在であり、前記紙葉類収納カセットの底部に配置された回転体と、
を備え、
前記回転体は、前記紙葉類収納カセットの前記繰出口とは反対側の内壁下部に連結された軸受保持部に固定された軸受により回転自在に支持され、前記紙葉類の繰出し方向に直交するよう配置され、前記紙葉類の底面に接する複数のシャフトからなり、
前記内壁は、前記紙葉類収納カセットに収納される前記紙葉類の長短に関わらず前記紙葉類の寸法に応じて該紙葉類の前記繰出口とは反対側の端部に当接するよう移動し、
前記回転体は、前記軸受保持部を介して前記内壁と一体であることにより前記紙葉類の長短に関わらず前記紙葉類の後端部を、前記繰出機構の紙葉類束分離部から引抜部までの距離に対応する一定範囲で支持する、
ことを特徴とする紙葉類収納カセット繰出負荷低減機構。
【請求項２】
前記回転体は、前記紙葉類収納カセットの底面に形成された凹部に嵌入し、上部円周の一部のみを前記紙葉類収納カセットの底面よりも上方に突出するよう配置された単体のローラからなる、
ことを特徴とする請求項１記載の紙葉類収納カセット繰出負荷低減機構。
【請求項３】
紙葉類収納カセットに設けられた紙葉類収納カセット繰出負荷低減機構であって、
前記紙葉類収納カセットは、紙葉類を内部に収納し、下部側面に前記紙葉類を外部に繰出すための繰出口を有し、該繰出口の近傍に前記紙葉類を外部に繰出す繰出機構と、
該繰出機構と、該繰出機構が前記紙葉類の底面に接する前記紙葉類の端部とは反対側端部と、の間において、前記紙葉類の底面に接し、前記紙葉類の繰出し方向に沿って回転自在であり、前記紙葉類収納カセットの底部に配置された回転体と、
を備え、
前記回転体は、前記紙葉類収納カセットの前記繰出口とは反対側の内壁下部に連結された軸受保持部に両端を固定され且つ前記紙葉類の繰出し方向に直交するよう配置された複数のシャフトにそれぞれ外嵌し、前記紙葉類の底面に接する複数のローラからなり、
前記内壁は、前記紙葉類収納カセットに収納される前記紙葉類の長短に関わらず前記紙葉類の寸法に応じて該紙葉類の前記繰出口とは反対側の端部に当接するよう移動し、
前記回転体は、前記軸受保持部を介して前記内壁と一体であることにより前記紙葉類の長短に関わらず前記紙葉類の後端部を、前記繰出機構の紙葉類束分離部から引抜部までの距離に対応する一定範囲で支持する、
ことを特徴とする紙葉類収納カセット繰出負荷低減機構。
【請求項４】
前記回転体は、前記紙葉類収納カセットの底面に形成された凹部に嵌入し、上部円周の一部のみを前記紙葉類収納カセットの底面よりも上方に突出するよう配置された単体のローラからなる、
ことを特徴とする請求項３記載の紙葉類収納カセット繰出負荷低減機構。
【発明の詳細な説明】
【技術分野】
【０００１】
本発明は、紙葉類収納カセットから紙葉類を一枚ごと繰出す際の繰出し負荷を低減させる紙葉類収納カセット繰出負荷低減機構に関する。
【背景技術】
【０００２】
従来、例えば図６(a)に示すＡＴＭ(automated teller [telling] machine：現金自動入出金機）のような紙幣入出金機能を有する装置において、紙幣出金部に装着される同図(b)に示すような紙幣収納カセットがある。
【０００３】
図６(a)に示すＡＴＭ１は、装置全体を内包する筐体２と、筐体２の中に配設された紙幣出金機３を備えている。紙幣出金機３には、図６(b)に示すような紙幣収納カセット４が装着されている。
【０００４】
紙幣収納カセット４は、紙幣収納部５を備えている。紙幣収納部５には多枚数の紙幣が積載された紙幣束６が予め収納されている。紙幣収納カセット４は下部横方向に繰出口７を備え、その繰出口７の近傍には、紙幣収納カセット４の底面８から僅かに周面を除かせて第１の繰出ローラ９が配設されている。
【０００５】
紙幣束６の上面左端部には、紙幣束加圧部１１が不図示の付勢部材により下方に付勢されて紙幣束６の左端部底面を繰出ローラ９に向けて押圧している。第１の繰出ローラ９より繰出口７側に、第２の繰出ローラ１２と捌き部材１３から成る紙幣束分離部１４が配置されている。繰出口７の外には、紙幣出金機３側の繰出紙幣引き抜き部１５が配置されている。
【０００６】
ＡＴＭ１が顧客に紙幣を払い出すときは、先ず、ＡＴＭ１の制御部等から紙幣出金機３に対し指定枚数の紙幣の出金要求がなされ、紙幣出金機３の紙幣収納カセット４から指定された枚数の紙幣が一定間隔ごとに１枚ずつ紙幣出金機３側に繰出される。
【０００７】
紙幣収納カセット４から繰り出された紙幣は、繰出口７から紙幣出金機引き抜き部１５にて紙幣出金機３側に引き抜かれる。その後、紙幣搬送部を通過し、指定枚数になるまで紙幣一時収納部に蓄積される。指定枚数に到達後、紙幣束として一括して出金口に放出され、顧客によって受け取られる。
【０００８】
上記の図６(a),(b)では、紙幣収納カセット４が１個の場合の例を示しているが、１台の紙幣出金機に２つの紙幣収納カセットを装着し、同一駆動源で２つの紙幣収納カセットの紙幣繰出しを行うものも提案されている（例えば、特許文献１参照）。そして、この特許文献１の場合も、紙幣収納カセットから紙幣を繰出す機構と原理は図６(b)の場合と同一である。
【先行技術文献】
【特許文献】
【０００９】
【特許文献１】特開２００６−０２７８７０号公報
【発明の概要】
【発明が解決しようとする課題】
【００１０】
ところで、図６(b)に示した紙幣束６は、紙幣束６自身の自重によりその下面部が紙幣収納カセット４の底面８に押圧されている。そして、紙幣束６の最下部の紙幣は、上に積載されている紙幣束６と紙幣収納カセット４の底面８との間に挟まれている形となる。
【００１１】
したがって、紙幣の繰出しの際は、繰出される最下部一枚の紙幣は、表裏両面から接触圧による摩擦抵抗を受けるため、紙幣束６の紙幣枚数の量が多い場合には、繰出せなくなるという問題が発生する。
【００１２】
このため、図６(b)に示すように紙幣収納カセット内に紙幣を平らに積み上げていく紙幣縦積み式の紙幣収納カセットの収納可能な紙幣の枚数は、紙幣を立てた状態で横に並べていく紙幣横積み式の紙幣収納カセットの収納可能な紙幣枚数と比べて必然的に少なくなるという問題があった。
【００１３】
この問題を解決するためには、紙幣束加圧部からの紙幣束への加圧力を上げて紙幣と繰出ローラとの接触力を上げる方法がある。しかし、同時に紙幣同士の接触力も上がることとなって、紙幣分離部を２枚又は３枚と複数枚の紙幣が通過し、複数の紙幣が同時に繰出される問題が発生する。
【００１４】
また、紙幣収納カセットから繰り出た後の紙幣出金機引き抜き部での引き抜きにも、より大きな引き抜き力を必要とする。そうすると、繰出動作の有無により、紙幣出金機引き抜き部における負荷に大きな差が生じ、紙幣出金機側モータにかかる負荷トルクに大きな変動が生じる。
【００１５】
このため、紙幣出金機側モータとなるステッピングモータが脱調したり、その脱調を防止するため高価な高トルクモータを配設しなければならないなどの問題が生じる。ところが特許文献１には、上記の問題点については何らの記載もなく、勿論、上記の問題点の解決策についても何ら記載がない。
【００１６】
本発明は、上記従来の課題を解決するものであって、紙葉類収納カセットから紙葉類を一枚ごと繰出す際の繰出し負荷を低減させる紙葉類収納カセット繰出負荷低減機構を提供することを目的とする。
【課題を解決するための手段】
【００１７】
上記課題を解決するために、本発明の紙葉類収納カセット繰出負荷低減機構は、紙葉類収納カセットに設けられた紙葉類収納カセット繰出負荷低減機構であって、上記紙葉類収納カセットは、紙葉類を内部に収納し、下部側面に上記紙葉類を外部に繰出すための繰出口を有し、該繰出口の近傍に上記紙葉類を外部に繰出す繰出機構を備え、該繰出機構と、該繰出機構が上記紙葉類の底面に接する上記紙葉類の端部とは反対側端部と、の間において、上記紙葉類の底面に接し、上記紙葉類の繰出し方向に沿って回転自在であり、上記紙葉類収納カセットの底部に配置された回転体から成る、ように構成される。
【００１８】
上記回転体は、例えば、上記紙葉類収納カセットの上記繰出口とは反対側の内壁下部に連結された軸受保持部に固定された軸受により回転自在に支持され、上記紙葉類の繰出し方向に直交するよう配置され、上記紙葉類の底面に接する複数のシャフトからなる、ように構成される。
【００１９】
また、上記回転体は、例えば、上記紙葉類収納カセットの上記繰出口とは反対側の内壁下部に連結された軸受保持部に両端を固定され且つ上記紙葉類の繰出し方向に直交するよう配置された複数のシャフトにそれぞれ外嵌し、上記紙葉類の底面に接する複数のローラからなる、ように構成される。
【００２０】
上記回転体は、上記紙葉類収納カセットの底面に形成された凹部に嵌入し、上部円周の一部のみを上記紙葉類収納カセットの底面よりも上方に突出するよう配置された単体のローラからなる、
ことを特徴とする請求項１記載の紙葉類収納カセット繰出負荷低減機構。
【００２１】
また、上記軸受保持部が下部に連結された上記繰出口とは反対側の上記内壁は、上記紙葉類収納カセットに収納される上記紙葉類の寸法に応じて該紙葉類の上記繰出口とは反対側の端部に当接するよう移動可能である、ように構成される。
【発明の効果】
【００２２】
本発明は、紙葉類収納カセットの底部に繰出機構と紙葉類の底面に接する複数の回転体を設けるので、紙葉類収納カセットから紙葉類を繰り出す力及び繰り出した紙葉類を引き抜く力が、従来と比べて減少されるので、紙幣収納カセットに収納可能な紙葉類の最大枚数を増加させることができるという効果を奏する。
【００２３】
また、紙葉類収納カセットから紙葉類を繰り出す力及び繰り出した紙葉類を引き抜く力が、従来と比べて減少されるので、回転トルクの低い安価なモータを使用することができて、電力面からも製品価格面からも経済的であるという効果を奏する。
【００２４】
また、紙葉類収納カセットから紙葉類を繰り出す力及び繰り出した紙葉類を引き抜く力が、従来と比べて減少されるため、繰出ローラ及び紙幣出金機側引き抜き部の回転系にかかる負荷が軽減されると共に負荷の変動幅が小さくなるので、関係部材が高寿命化されるという効果を奏する。
【図面の簡単な説明】
【００２５】
【図１】(a)は本発明の実施例１に係る紙幣収納カセットを備えた紙幣出金機の構成を模式的に示す断面図、(b)は紙幣収納カセットの構成を詳細に示す図である。
【図２】実施例１に係る紙幣収納カセットの繰出負荷低減機構の動作状態を説明する図である。
【図３】(a),(b)は、紙幣収納部に収納される紙幣の紙幣長に合わせる紙幣長調整ガイドの動作を示す図である。
【図４】(a)は実施例２に係る紙幣収納カセットの構成を示す平面図、(b)はその側面図である。
【図５】(a)は実施例３に係る紙幣収納カセットの構成を示す平面図、(b)はその側面図である。
【図６】(a)は従来のＡＴＭ(automated teller [telling] machine）の構成を簡略に示す図、(b)はその紙幣収納カセットの構成を示す図である。
【発明を実施するための形態】
【００２６】
以下、本発明の実施の形態について、図面を参照しながら詳細に説明する。
【実施例１】
【００２７】
図１(a)は、実施例１に係る紙幣収納カセットを備えた紙幣出金機の構成を模式的に示す断面図であり、図１(b)は紙幣収納カセットの構成を詳細に示す図である。
図１(a)に示す紙幣出金機２０は、内部に紙幣収納カセット２１を備えている。紙幣収納カセット２１は、内部に紙葉類としての紙幣を収納し、下部側面に紙幣を外部に繰出すための繰出口２２を有している。
【００２８】
紙幣出金機２０の本体装置側は、上記の繰出口２２から繰り出される紙幣を引き抜く引抜部２３と、この引抜部２３により引き抜かれた紙幣を搬送する搬送部２４と、搬送された紙幣を指定された出金枚数まで一時的に集積する一時収納部２５と、出金枚数まで集積された紙幣を一時収納部２５から搬出して顧客に払い出す払出口２６を備えている。
【００２９】
上記の紙幣収納カセット２１は、図１(b)に示すように、下部横方向に上述した繰出口２２を形成されている紙幣収納部２７を備えている。紙幣収納部２７には多枚数の紙幣が積載されて成る紙幣束２８が予め収納されている。
【００３０】
紙幣収納カセット２１は、カセット底板２９と、繰出口側にある前板３１と、前板３１の両側（図面奥行き方向手前と向う側）に沿い付けるように立設され、紙幣束２８の繰出口側の端部位置を規制する規制ガイド３２とを備えている。
【００３１】
更に、紙幣収納カセット２１は、カセット底板２９の後部底面２９ａ上に摺動自在に配置された紙幣長調整ガイド３３を備えている。紙幣長調整ガイド３３は、紙幣束２８の繰出口反対側端部（後端部）を、紙幣長に合わせて規制する。
【００３２】
更に、紙幣収納カセット２１は、図では見えない図面奥行き方向手前と向う側の合わせて２枚の横板を備えている。これら２枚の横板と、カセット底板２９と、規制ガイド３２と、紙幣長調整ガイド３３とで、上述した紙幣収納部２７が形成されている。
【００３３】
また、紙幣収納カセット２１には、繰出口２２の近傍に、紙幣収納部２７の前部（繰出口２２側）底面２９ｂから僅かに周面を除かせて第１の繰出ローラ３４が配設されている。紙幣束２８の前部上面には、紙幣束加圧部材３５が圧接している。
【００３４】
紙幣束加圧部材３５は、規制ガイド３２内に配置されている図では見えない付勢部材により下方に付勢されて、紙幣束２８の前部底面を第１の繰出ローラ３４に向けて押圧している。
【００３５】
上述した紙幣長調整ガイド３３は、紙幣束２８を紙幣収納部２７に収納するに際し、金種により紙幣束２８の長さが異なるため、紙幣束２８の前端下部を第１の繰出ローラ３４に当接させるため、各金種の紙幣束２８の紙幣長の繰り出し方向の後端に合わせて位置を調整されている。
【００３６】
また、第１の繰出ローラ３４より繰出口２２側に、第２の繰出ローラ３６と捌き部材３７とから成る紙幣束分離部３８が配置されている。これら第１の繰出ローラ３４、第２の繰出ローラ３６、及び捌き部材３７により繰出機構３９が形成されている。
【００３７】
繰出機構３９の紙幣束分離部３８は、第１の繰出ローラ３４により紙幣収納部２７から繰り出される紙幣の重送を規制し、一枚の紙幣のみが繰出口２２から繰り出されるようにしている。
【００３８】
第１の繰出ローラ３４より後方は傾斜のある段差部２９ｃが形成され、段差部２９ｃの後方は上述したカセット底板後部底面２９ａに連続している。このカセット底板後部底面２９ａ上に配置された紙幣長調整ガイド３３には、その下端部両側から水平に繰出口２２方向に伸び出す軸受け保持部４０が形成されている。
【００３９】
軸受け保持部４０には、それぞれ２個の軸受４１が保持されている。これら２個の軸受４１の対向する軸受４１間にそれぞれ回転シャフト４２が軸支されている。回転シャフト４２は、紙幣の繰出し方向に直交するよう配置され、繰出機構３９と同一の高さで紙幣束２８の後方底面に接触し、紙幣の繰出し方向に沿って回転自在に配設されている。
【００４０】
回転シャフト４２はカセット底板後部底面より上部に位置し、紙幣束２８の後端は回転シャフト４２の上に乗っているため、紙幣束２８の最下部と紙幣収納カセット２１のカセット底板２９の後部底面２９ａとの間には間隙４４が形成されている。
【００４１】
したがって、紙幣束２８の最下部の紙幣４３は、繰出機構３９によって繰り出される直前まで、前部の下面が第１の繰出ローラ３４のみに接触し、前部の上面は第１の繰出ローラ３４との接触部に当たる部分が紙幣束２８のみに接触する。
【００４２】
そして、紙幣４３の後部下面は回転シャフト４２のみに接触し、紙幣４３の後部上面は回転シャフト４２との接触部に当たる部分が紙幣束２８のみに接触している。上記の軸受け保持部４０、軸受４１、及び回転シャフト４２は本例における紙葉類収納カセット繰出負荷低減機構を形成している。
【００４３】
図２は、本例の紙葉類収納カセット繰出負荷低減機構の動作状態を説明する図である。尚、図２には、説明に必要な部分において、図１(a),(b)と同一の構成部分には図１(a),(b)と同一の番号を付与して示している。
【００４４】
図２において、繰出機構３９が始動すると、繰出機構３９により紙幣束２８の最下部の一枚の紙幣４３が繰出口２２から繰り出され、その紙幣４３が引抜部２３により繰出口２２から引き抜かれる。
【００４５】
このとき、紙幣４３の繰り出し初期においては、図１(b)に示すように、紙幣束２８の最下部後端、つまり紙幣４３の後端４３ａは、下面が回転シャフト４２のみに接触し、上面が回転シャフト４２との接触部に当たる部分のみが残りの紙幣束２８に接触している。
【００４６】
そして、紙幣４３の先端への引き抜きが加わる図２に示す繰り出しの後半では、紙幣４３の後端４３ａは、上面は残りの紙幣束２８から離れ、下面は後端部がカセット底板後部底面２９ａに摺接するだけである。
【００４７】
このように、紙幣４３の繰り出しと引き抜きに対して加わる抵抗力は、最初は紙幣４３の上面に接触する紙幣束２８との摩擦抵抗と、第１の繰出ローラ３４に圧接する部分の摩擦抵抗であり、従来のようなカセット底板後部底面２９ａとの接触による摩擦抵抗は存在しない。
【００４８】
また、紙幣４３の上面に接触する紙幣束２８との摩擦抵抗は、紙幣４３と回転シャフト４２との接触部に当たる部分の上面と紙幣束２８との接触による摩擦抵抗であり、従来のようなカセット底板後部底面２９ａとの全面接触に対応する紙幣束２８との全面接触による摩擦抵抗ではないので極めて弱い摩擦抵抗である。
【００４９】
そして、紙幣４３の先端が引抜部２３に到達するタイミングで紙幣４３の後端が前方（繰出口２２方向）の回転シャフト４２から抜けるように、回転シャフト４２が位置設定されているため、繰り出しの後半では、紙幣４３は紙幣束２８との弱い摩擦抵抗からも開放され、第１の繰出ローラ３４に圧接する部分の摩擦抵抗のみが、引き抜き完了まで継続する。
【００５０】
尚、回転シャフト４２の位置設定は、紙幣長調整ガイド３３の下端部内側から前方の回転シャフト４２までの距離が、紙幣束分離部３８から引抜部２３までの距離とほぼ等しくなるように、回転シャフト４２の位置を設定する。
【００５１】
本例において、繰り出される紙幣４３が繰り出しと引き抜きにおいて受ける抵抗力すなわち負荷は、紙幣束２８が繰出ローラ３４と回転シャフト４２に乗っているため、紙幣束２８の自重の約半分と、紙幣束加圧部３５からの圧力とで形成される。
【００５２】
このように、本例の紙葉類収納カセット繰出負荷低減機構では、従来と比べ、繰り出し対象の紙幣４３は、紙幣束２８によるカセット底板面２９への接触が無く、且つ、紙幣束２８の自重の影響が１／２に減少するので、実測によれば本例では従来よりも引き抜き負荷が３割から４割減少する。
【００５３】
図３(a),(b)は、紙幣収納部２７に収納される紙幣の紙幣長に合わせる紙幣長調整ガイド３３の動作を示す図である。図１(a)は紙幣長の比較的長い紙幣束２８ａを紙幣収納部２７に収納した状態を示し、図１(b)は紙幣長の比較的短い紙幣束２８ｂを紙幣収納部２７に収納した状態を示している。
【００５４】
前述したように、回転シャフト４２は、紙幣長調整ガイド３３の下端部内側から前方の回転シャフト４２までの距離ｎが、紙幣束分離部３８から引抜部２３までの距離ｍとほぼ等しくなるように位置設定されている。
【００５５】
そして、本例では、図１(b)に示したように、紙幣長調整ガイド３３と一体構成の軸受け保持部４０に、回転シャフト４２を保持させているので、金種の異なる紙幣ごとに、その紙幣長の後端に合わせて紙幣長調整ガイド３３を位置調節するだけで、紙幣４３の先端が引抜部２３に到達したタイミングに合わせて紙幣４３の後端が回転シャフト４２を抜け出るように容易に調節することができる。
【００５６】
このように、本発明の実施例１によれば、紙幣の繰り出し時に繰り出し紙幣が紙幣収納カセット底面には接触しないので、繰り出し機構にかかる繰り出し力と共に  紙幣出金機側の引抜部にかかる引き抜き力をも軽減させることができる。
【００５７】
これにより、大摩擦抵抗による繰り出し不良、加圧力強化による繰り出し紙幣の重送等の問題が解決されるだけでなく、紙幣出金機側の引抜部での紙幣引き抜き力が大きく低減され、回転駆動系の電力節減に貢献する。また、紙幣束の自重による摩擦抵抗が軽減されるので、紙幣収納部に収納する紙幣の枚数を従来よりも多くすることができる。
【実施例２】
【００５８】
図４(a)は、実施例２に係る紙幣収納カセットの構成を示す平面図であり、同図(b)はその側面図である。尚、図４(a),(b)には、図１(b)と同一の構成部分又は同一の機能部分には、図１(b)と同一の番号を付与して示している。
【００５９】
図４(a),(b)において、図１(b)の回転シャフト４２に代わる回転体として、ローラ４５が設けられている。ローラ４５は、固定シャフト４６に回転自在に嵌合して固定シャフト４６に保持されている。固定シャフト４６は紙幣長調整ガイド３３の軸受け保持部４０に保持されている。尚、固定シャフト４６も、固定ではなく回転するようにしてもよい。
【００６０】
本例では、紙幣束は、ローラ４５と第１の繰出ローラ３４の回転周面に載置される。本例の場合も、実施例１の場合と同様に、紙幣束の最下面の紙幣は、ローラ４５の回転により、繰り出し及び引き抜きの際の摩擦抵抗による負荷が大きく軽減される。
【実施例３】
【００６１】
図５(a)は、実施例３に係る紙幣収納カセットの構成を示す平面図であり、同図(b)はその側面図である。尚、図５(a),(b)には、図１(b)と同一の構成部分又は同一の機能部分には、図１(b)と同一の番号を付与して示している。
【００６２】
図５(a),(b)において、繰出負荷低減機構として複数（図では６個）の単体のローラ４７が用いられる。ローラ４７は、カセット底板２９の後方に形成されたローラ４７の数に対応する数の凹部にそれぞれ回転自在に嵌め込まれている。
【００６３】
本例の場合は、図１(b)の紙幣長調整ガイド３３に代わって紙幣束の後端部位置を規制する規制板４８がカセット底板２９に固定して設けられる。ローラ４７及び規制板４８は金種ごとの紙幣長に適した位置に移動は出来ないが、紙幣長が一定の紙幣束のみを取扱う場合には、シャフトや軸受等がなくなるのでコストを低減することができる。
【００６４】
尚、上述した実施例１ないし３は、いずれも紙幣を長手方向に繰り出して、そのまま長手方向に搬送する形式の払い出し専用の紙幣出金機における紙幣収納カセットの繰出負荷低減機構である。
【実施例４】
【００６５】
しかし、本発明の繰出負荷低減機構は、一般の銀行等に設置されている紙幣を短手方向に搬送するＡＴＭの入出金用の紙幣収納カセットの出金時の繰出負荷低減機構としても適用することができる。
【００６６】
この場合、特には図示しないが、図１ないし図３に示した紙幣束加圧部材３５を、入金時には入金紙幣の収納を阻害しない待機位置に退避させ、出金時には紙幣束加圧位置に復帰して図１ないし図３に示したように紙幣束を加圧するようにするとよい。
【産業上の利用可能性】
【００６７】
本発明は、紙葉類収納カセット繰出負荷低減機構に利用することができる。
【符号の説明】
【００６８】
１  ＡＴＭ(automated teller [telling] machine）
２  筐体
３  紙幣出金機
４  紙幣収納カセット
５  紙幣収納部
６  紙幣束
７  繰出口
９  第１の繰出ローラ
１１  紙幣束加圧部
１２  第２の繰出ローラ
１３  捌き部材
１４  紙幣束分離部
１５  繰出紙幣引き抜き部
２０  紙幣出金機
２１  紙幣収納カセット
２２  繰出口
２３  引抜部
２４  搬送部
２５  一時収納部
２６  払出口
２７  紙幣収納部
２８  紙幣束
２９  カセット底板
２９ａ  カセット底板後部底面
２９ｂ  カセット底板前部底面
２９ｃ  カセット底板段差部
３１  前板
３２  規制ガイド
３３  紙幣長調整ガイド
３４  第１の繰出ローラ
３５  紙幣束加圧部材
３６  第２の繰出ローラ
３７  捌き部材
３８  紙幣束分離部
３９  繰出機構
４０  軸受け保持部
４１  軸受
４２  回転シャフト
４３  紙幣
４３ａ  紙幣後端
４４  間隙
４５  ローラ
４６  固定シャフト
４７  ローラ
４８  規制板
【図１】
0005563523.tif 000002
【図２】
0005563523.tif 000003
【図３】
0005563523.tif 000004
【図４】
0005563523.tif 000005
【図５】
0005563523.tif 000006
【図６】
0005563523.tif 000007